(57)【要約】【課題】本発明は、従来にない作用効果を発揮する画期的なヒンジ装置並びにヒンジ装置を用いた電子機器を提供することを目的とする。【解決手段】第一部材１と第二部材２とを回動自在に連結するヒンジ装置であって、前記第一部材１若しくは前記第二部材２に凸部３Ａを有するカム部３を回り止め状態に設け、このカム部３の前記凸部３Ａと凹凸係合する凹部４Ａを有するカム係合部４を前記第二部材２若しくは前記第一部材１に回り止め状態に設け、前記カム部３と前記カム係合部４とを相対回動自在に設けると共に係合付勢バネ５の係合付勢に抗して離反方向に移動自在となるように構成して、前記カム部３と前記カム係合部４とが前記係合付勢バネ５により付勢係合することで、前記第一部材１に対して前記第二部材２の回動位置が保持されるように構成したものである。【選択図】図２
2010159785.tif 000002
【特許請求の範囲】
【請求項１】
第一部材と第二部材とを回動自在に連結するヒンジ装置であって、前記第一部材若しくは前記第二部材に凸部を有するカム部を回り止め状態に設け、このカム部の前記凸部と凹凸係合する凹部を有するカム係合部を前記第二部材若しくは前記第一部材に回り止め状態に設け、前記カム部と前記カム係合部とを相対回動自在に設けると共に係合付勢バネの係合付勢に抗して離反方向に移動自在となるように構成して、前記カム部と前記カム係合部とが前記係合付勢バネにより付勢係合することで、前記第一部材に対して前記第二部材の回動位置が保持されるように構成したヒンジ装置において、前記第二部材若しくは前記第一部材に設けた取付凹部に前記カム係合部を挿入して回り止め状態で取り付ける構成とし、この取付凹部に前記カム係合部を挿入した際、前記取付凹部の内面部に設けた回り止め凸部が係合する回り止め凹部を前記カム係合部の側周面に設け、このカム係合部の側周面のうち、前記カム部の前記凸部が前記カム係合部の前記凹部から係脱して回動移動する際の前記凹部外の凸摺動面部が設けられる部位の脇の側周面でなく、前記凹部が設けられる部位の脇の側周面に前記回り止め凹部を設けたことを特徴とするヒンジ装置。
【請求項２】
前記カム係合部における前記カム部との対向端面の複数箇所に前記凹部を設けた際には、この凹部間における前記凸摺動面部が設けられる部位の脇の側周面でなく、前記凹部夫々が設けられる部位の脇の側周面に前記回り止め凹部を設けたことを特徴とする請求項１記載のヒンジ装置。
【請求項３】
前記カム係合部の前記凹部が設けられる部位の脇の側周面にして、前記カム部と前記カム係合部とが前記係合付勢バネにより付勢係合する際に前記凸部が落ち込み摺動する前記凹部の落ち込み摺動面部でない部位の脇の側周面にのみ前記回り止め凹部を設けたことを特徴とする請求項１，２のいずれか１項に記載のヒンジ装置。
【請求項４】
前記回り止め凸部が突き当たり係合する前記回り止め凹部の係合面は、前記カム係合部の回動中心点を通過する面と同一平面状となるように形成されていることを特徴とする請求項１〜３のいずれか１項に記載のヒンジ装置。
【請求項５】
前記回り止め凹部は、前記取付凹部に対する前記カム係合部の挿入方向に長さを有し、且つ、前記カム係合部の正面及び背面に開口する凹条であることを特徴とする請求項１〜４のいずれか１項に記載のヒンジ装置。
【請求項６】
第一部材と第二部材とを回動自在に連結するヒンジ装置であって、前記第一部材若しくは前記第二部材に凸部を有するカム部を回り止め状態に設け、このカム部の前記凸部と凹凸係合する凹部を有するカム係合部を前記第二部材若しくは前記第一部材に回り止め状態に設け、前記カム部と前記カム係合部とを相対回動自在に設けると共に係合付勢バネの係合付勢に抗して離反方向に移動自在となるように構成して、前記カム部と前記カム係合部とが前記係合付勢バネにより付勢係合することで、前記第一部材に対して前記第二部材の回動位置が保持されるように構成したヒンジ装置において、前記第二部材若しくは前記第一部材に設けた取付凹部に前記カム係合部を挿入して回り止め状態で取り付ける構成とし、この取付凹部に前記カム係合部を挿入した際、前記取付凹部の内面部に設けた回り止め凸部が係合する回り止め凹部を前記カム係合部の側周面に設け、前記回り止め凸部が突き当たり係合する前記回り止め凹部の係合面は、前記カム係合部の回動中心点を通過する面と同一平面状となるように形成されていることを特徴とすることを特徴とするヒンジ装置。
【請求項７】
上面に操作部を備えた本体部を前記第一部材若しくは前記第二部材とし、伏面にディスプレイ部を備えた開閉部を前記第二部材若しくは前記第一部材とし、この本体部と開閉部との端部同士を前記請求項１〜６記載のヒンジ装置によって枢着連結したことを特徴とするヒンジ装置を用いた電子機器。
【発明の詳細な説明】
【技術分野】
【０００１】
本発明は、ヒンジ装置並びにヒンジ装置を用いた電子機器に関するものである。
【背景技術】
【０００２】
従来から、例えば携帯電話やノート型パソコンなどの折畳式となる筐体同士を枢着するヒンジ装置として様々なヒンジ装置が提案されており、本出願人は、特開２００３−６５３２１号に開示されるヒンジ装置を提案している。
【０００３】
具体的には、取付ケース体内に回り止め状態にカム部を設け、このカム部は、取付ケース体内に設けた係合付勢バネに抗して取付ケース体内でスライド移動自在に設け、このカム部に対向して係合付勢バネによりカム部と付勢係合するカム係合部を設け、このカム係合部を前記取付ケース体の一側に配設し、第一部材，第二部材のいずれか一方に取付ケース体を固定状態に設け、いずれか他方にカム係合部を固定状態に設け、第一部材に対して第二部材を回動させると、係合付勢バネに抗してカム部を離反させつつカム部とカム係合部とが係脱して相対回動し、このカム部とカム係合部とが付勢係合した状態では第一部材に対する第二部材の回動位置が保持されるように構成している。
【発明の概要】
【発明が解決しようとする課題】
【０００４】
ところで、この種のヒンジ装置において、ますます小型化が要求される中、このヒンジ装置における第一部材，第二部材に対する堅固な取付け（例えば取付ケース体の一側から突出するカム係合部の固定）を達成すべく、例えばカム係合部を断面多角形状にするなど種々の回り止め構造が提案されているが、いずれも未だ不十分である。
【０００５】
また、このヒンジ装置の部品（例えば第二部材の取付凹部に取付けるカム係合部）に対し、小型化しつつ求められる強度がより一層高くなる中（筐体としての第一部材，第二部材が大型化しており、これら筐体同士の相対回動の際にかかる応力に耐え得る強度が求められている。）、従来から提案される構造をそのまま小型化したのでは、第一部材と第二部材とを相対回動させた際にかかる応力を良好に受けることができず、よって、前述した十分な回り止め構造を具備しつつ、且つ、十分な強度を具備したものは提案されていない。尚、この問題は、このヒンジ装置を取付ける筐体における樹脂製の取り付け部分（例えば第二部材の取付凹部）の耐久性にも関わる問題である。
【０００６】
本発明は、上述した問題点に鑑み、種々の実験・研究を繰り返し行なった結果、従来にない作用効果発揮する画期的なヒンジ装置並びにヒンジ装置を用いた電子機器を開発した。
【課題を解決するための手段】
【０００７】
添付図面を参照して本発明の要旨を説明する。
【０００８】
第一部材１と第二部材２とを回動自在に連結するヒンジ装置であって、前記第一部材１若しくは前記第二部材２に凸部３Ａを有するカム部３を回り止め状態に設け、このカム部３の前記凸部３Ａと凹凸係合する凹部４Ａを有するカム係合部４を前記第二部材２若しくは前記第一部材１に回り止め状態に設け、前記カム部３と前記カム係合部４とを相対回動自在に設けると共に係合付勢バネ５の係合付勢に抗して離反方向に移動自在となるように構成して、前記カム部３と前記カム係合部４とが前記係合付勢バネ５により付勢係合することで、前記第一部材１に対して前記第二部材２の回動位置が保持されるように構成したヒンジ装置において、前記第二部材２若しくは前記第一部材１に設けた取付凹部６に前記カム係合部４を挿入して回り止め状態で取り付ける構成とし、この取付凹部６に前記カム係合部４を挿入した際、前記取付凹部６の内面部に設けた回り止め凸部６ａが係合する回り止め凹部４ａを前記カム係合部４の側周面に設け、このカム係合部４の側周面のうち、前記カム部３の前記凸部３Ａが前記カム係合部４の前記凹部４Ａから係脱して回動移動する際の前記凹部４Ａ外の凸摺動面部４Ｂが設けられる部位の脇の側周面でなく、前記凹部４Ａが設けられる部位の脇の側周面に前記回り止め凹部４ａを設けたことを特徴とするヒンジ装置に係るものである。
【０００９】
また、前記カム係合部４における前記カム部３との対向端面の複数箇所に前記凹部４Ａを設けた際には、この凹部４Ａ間における前記凸摺動面部４Ｂが設けられる部位の脇の側周面でなく、前記凹部４Ａ夫々が設けられる部位の脇の側周面に前記回り止め凹部４ａを設けたことを特徴とする請求項１記載のヒンジ装置に係るものである。
【００１０】
また、前記カム係合部４の前記凹部４Ａが設けられる部位の脇の側周面にして、前記カム部３と前記カム係合部４とが前記係合付勢バネ５により付勢係合する際に前記凸部３Ａが落ち込み摺動する前記凹部４Ａの落ち込み摺動面部４Ａ’でない部位の脇の側周面にのみ前記回り止め凹部４ａを設けたことを特徴とする請求項１，２のいずれか１項に記載のヒンジ装置に係るものである。
【００１１】
また、前記回り止め凸部６ａが突き当たり係合する前記回り止め凹部４ａの係合面４ａ’は、前記カム係合部４の回動中心点を通過する面と同一平面状となるように形成されていることを特徴とする請求項１〜３のいずれか１項に記載のヒンジ装置に係るものである。
【００１２】
また、前記回り止め凹部４ａは、前記取付凹部６に対する前記カム係合部４の挿入方向に長さを有し、且つ、前記カム係合部４の正面及び背面に開口する凹条であることを特徴とする請求項１〜４のいずれか１項に記載のヒンジ装置に係るものである。
【００１３】
また、第一部材１と第二部材２とを回動自在に連結するヒンジ装置であって、前記第一部材１若しくは前記第二部材２に凸部３Ａを有するカム部３を回り止め状態に設け、このカム部３の前記凸部３Ａと凹凸係合する凹部４Ａを有するカム係合部４を前記第二部材２若しくは前記第一部材１に回り止め状態に設け、前記カム部３と前記カム係合部４とを相対回動自在に設けると共に係合付勢バネ５の係合付勢に抗して離反方向に移動自在となるように構成して、前記カム部３と前記カム係合部４とが前記係合付勢バネ５により付勢係合することで、前記第一部材１に対して前記第二部材２の回動位置が保持されるように構成したヒンジ装置において、前記第二部材２若しくは前記第一部材１に設けた取付凹部６に前記カム係合部４を挿入して回り止め状態で取り付ける構成とし、この取付凹部６に前記カム係合部４を挿入した際、前記取付凹部６の内面部に設けた回り止め凸部６ａが係合する回り止め凹部４ａを前記カム係合部４の側周面に設け、前記回り止め凸部６ａが突き当たり係合する前記回り止め凹部４ａの係合面４ａ’は、前記カム係合部４の回動中心点を通過する面と同一平面状となるように形成されていることを特徴とすることを特徴とするヒンジ装置に係るものである。
【００１４】
また、上面に操作部11を備えた本体部を前記第一部材１若しくは前記第二部材２とし、伏面にディスプレイ部12を備えた開閉部を前記第二部材２若しくは前記第一部材１とし、この本体部と開閉部との端部同士を前記請求項１〜６記載のヒンジ装置によって枢着連結したことを特徴とするヒンジ装置を用いた電子機器に係るものである。
【発明の効果】
【００１５】
本発明は上述のように構成したから、小型化の要求にも十分対応でき、ヒンジ装置本来の機能に支障を来たすことなく堅固な取付けが可能になるなど従来にない作用効果を発揮する画期的なヒンジ装置並びにヒンジ装置を用いた電子機器となる。
【００１６】
また、請求項２，３記載の発明においては、前述した作用効果を確実且つ良好に発揮することができる極めて実用性に秀れた画期的なヒンジ装置となる。
【００１７】
また、請求項４記載の発明においては、前述した作用効果に加え、第一部材と第二部材とを相対回動させた際にかかる応力を良好に受けて部品の変形を可及的に防止し得る極めて実用性に秀れた画期的なヒンジ装置となる。
【００１８】
また、請求項５記載の発明においては、より一層堅固な取付けが可能になるなど従来にない作用効果を発揮する画期的なヒンジ装置並びにヒンジ装置を用いた電子機器となる。
【００１９】
また、請求項６記載の発明においては、第一部材と第二部材とを相対回動させた際にかかる応力を良好に受けて破損等を可及的に防止し得る極めて実用性に秀れた画期的なヒンジ装置となる。
【００２０】
また、請求項７記載の発明においては、前述のような作用効果を発揮する画期的なヒンジ装置を用いた電子機器を提供できることとなる。
【図面の簡単な説明】
【００２１】
【図１】本実施例の使用状態説明図である。
【図２】本実施例を示す分解斜視図である。
【図３】本実施例に係る要部の説明斜視図である。
【図４】本実施例に係る要部を示す斜視図である。
【図５】本実施例に係る要部の説明図である。
【図６】本実施例に係る要部の説明断面図である。
【図７】別実施例を示す斜視図である。
【図８】別実施例を示す正面図である。
【発明を実施するための形態】
【００２２】
好適と考える本発明の実施形態（発明をどのように実施するか）を、図面に基づいて本発明の作用を示して簡単に説明する。
【００２３】
第二部材２に対するカム係合部４の取付けに際し、第二部材２に設けた取付凹部６にカム係合部４を挿入すると、取付凹部６の内面部に設けた回り止め凸部６ａにカム係合部４の側周面に設けた回り止め凹部４ａが回り止め状態で係合する。
【００２４】
つまり、第二部材２に設けた取付凹部６に対する回り止め構造がカム係合部４の表面に突起物を設けたりするのではなく凹状の部位を設けることで得られる構造であるから、カム係合部４を小型化しても（大型化することなく）、第一部材１と第二部材２とを相対回動した際に生じるカム係合部４に対する応力に耐え得る良好な回り止め状態が確実に得られることになる。
【００２５】
ところで、本発明は、前述したカム係合部４に設ける回り止め凹部４ａを、カム係合部４の側周面のうち、カム部３の凸部３Ａがカム係合部４の凹部４Ａから係脱して回動移動する際の凹部４Ａ外の凸摺動面部４Ｂが設けられる部位の脇の側周面でなく、凹部４Ａが設けられる部位の脇の側周面に回り止め凹部４ａを設けており、この構成から、カム係合部４の側周面に凹状の部位を設けることで危惧される、ヒンジ装置本来の機能に支障を来たしてしまうことを可及的に防止し得ることになる。
【００２６】
即ち、第一部材１と第二部材２との相対回動に際して、カム部３の凸部３Ａがカム係合部４の凹部４Ａから係脱して該凹部４Ａ外の凸摺動面部４Ｂを回動抵抗を生じながら摺動する構造（例えば第一部材１に対して第二部材２を所定角度開放状態で維持する所謂フリーストップ機能が発揮される構造）において、仮にカム係合部４に設ける回り止め凹部４ａを当該凸摺動面部４Ｂが設けられる部位の脇の側周面に設けた場合、この回り止め凹部４ａが前記凸摺動面部４Ｂに開口したものであると、当該部位をカム部３の凸部３Ａが通過する際には、その他の部位に比して回動抵抗が弱くなってしまい、よって、凸部３Ａが凸摺動面部４Ｂを摺動する際には部位によって回動抵抗の強弱にばらつきが生じる（部分的にフリーストップ機能の効きに変化が生じ、第一部材１と第二部材２とを相対回動させる際の回動操作感が悪くなる）など、商品価値が著しく低下するという問題が生じてしまう。
【００２７】
更に具体的には、前述したカム係合部４は、第二部材２に設けた取付凹部６に挿入して取付ける構造であり、しかも、制作上の容易性から打ち抜きや引き抜きにより成形することが一般的であり、よって、このカム係合部４に設けられる回り止め凹部４ａはカム係合部４の正面及び背面に開口する構造となるが、その構造上、前述したようにカム係合部４を小型化（小径化）するに際し、カム係合部４に設ける回り止め凹部４ａを当該凸摺動面部４Ｂが設けられる部位の脇の側周面に設けることとした場合、回り止め凹部４ａは前記カム係合部４の前記凸摺動面部４Ｂとなる正面及び背面に開口することになる。
【００２８】
従って、この凸摺動面部４Ｂを摺動するカム部３の凸部３Ａが回り止め凹部４ａが開口する部位（摺動面が無い部位）を通過した際には、接触面積が減る分、回動抵抗が弱くなってしまうのである。
【００２９】
また、この凸摺動面部４Ｂが設けられる部位は、係合付勢バネ５によって凸部３Ａが強く押し当てられるという特に強い応力がかかる部位であり、よって、当該部位は、第一部材１と第二部材２とを相対回動させて応力がかかった際には歪み（変形）が生じてしまい、凸部３Ａが凸摺動面部４Ｂを摺動する際には部位によって回動抵抗の強弱にばらつきが生じる（部分的にフリーストップ機能の効きに変化が生じ、第一部材１と第二部材２とを相対回動させる際の回動操作感が悪くなる）など、この点においても商品価値が著しく低下するという問題が生じてしまう。
【００３０】
この点、本発明は、カム係合部４の側周面のうち、カム部３の凸部３Ａがカム係合部４の凹部４Ａから係脱して回動移動する際の凹部４Ａ外の凸摺動面部４Ｂが設けられる部位の脇の側周面でなく、凹部４Ａが設けられる部位の脇の側周面に回り止め凹部４ａを設けており、つまり、カム係合部４の側周面における前述した凸部３Ａが摺動する部位（凸摺動面部４Ｂ）とは関係の無い部位に設けたから（カム係合部４の変形を可及的に防止し得ることになるから）、前述した十分な回り止め状態での取付けを実現しつつ、この種のヒンジ装置が持つ本来の機能（例えば回動抵抗を利用したフリーストップ機能や回動操作感）に支障を来たすことなく確実に実現し得ることになる。
【００３１】
また、請求項３記載の発明のように、カム部３とカム係合部４とが係合付勢バネ５により付勢係合する際に凸部３Ａが落ち込み摺動する凹部４Ａの落ち込み摺動面部４Ａ’でない部位の脇の側周面にのみ回り止め凹部４ａを設けた場合には、前述した作用効果が得られるのは勿論、落ち込み摺動も良好に達成されることになる。
【００３２】
また、請求項４記載の発明のように、回り止め凸部６ａが突き当たり係合する回り止め凹部４ａの係合面４ａ’は、カム係合部４の回動中心点を通過する面と同一平面状となるように形成されている場合には、第一部材１と第二部材２とを相対回動させた際にカム係合部４にかかる応力を回動中心に作用させることができ、この点においてもカム係合部４にかかる応力を良好に受けてカム係合部４の歪み（変形）を可及的に防止し得ることになり、一方、このカム係合部４にかかる応力を回動中心に作用させることは、カム係合部４を取付ける取付凹部６の一部分への偏った応力の集中を防止することにもなり、該取付凹部６の耐久性をも飛躍的に向上し得ることになる。
【００３３】
例えば特に取付凹部６を設ける箇所が樹脂製の場合、カム係合部４との間に生じる応力はカム係合部４にのみ影響を及ぼすのではなく、むしろ樹脂で形成される取付凹部６に影響するものであり、前述したカム係合部４にかかる応力を回動中心に作用させる構成は取付凹部６の耐久性の向上の点から極めて重要である。
【実施例】
【００３４】
本発明の具体的な一実施例について図面に基づいて説明する。
【００３５】
本実施例は、携帯電話の本体部と該本体部に重合する重合部との枢着部に本発明のヒンジ装置Ｈを設けた場合を示しているが、重合部（第二部材２）の基部に取付凹部６を設け、操作キーを有する本体部（第一部材１）の基部に取付凹部７を設け、この双方の取付凹部６，７が連通するように本体部（第一部材１）と重合部（第二部材２）との基部同士を組み合わせ、この連通する取付凹部６，７に棒状のヒンジ装置Ｈが挿入配設されるように構成している。
【００３６】
この第一部材１の取付凹部７はヒンジ装置Ｈの第一取付部（取付ケース体８）が挿入されて回り止め係合され、第二部材２の取付凹部６には回り止め状態にヒンジ装置Ｈの第二取付部（カム係合部４）が挿入されて回り止め係合されるように構成している。尚、後述するカム部３の替わりにカム係合部４をスライド自在に設けることとした場合、このカム係合部４をスライド自在に保持する部位（取付ケース体８）を第二部材２若しくは第一部材１の取付凹部６，７として機能せしめる場合も含むものである。この場合、後述するカム係合部４の側周面に形成される回り止め凹部４ａに係合する回り止め凸部６ａを取付ケース体８の内周面に設けることになる。
【００３７】
この本実施例のヒンジ装置Ｈについて更に説明する。
【００３８】
本実施例は、第一部材１に凸部３Ａを有するカム部３を回り止め状態に設け、このカム部３の前記凸部３Ａと凹凸係合する凹部４Ａを有するカム係合部４を前記第二部材２に回り止め状態に設け、前記カム部３と前記カム係合部４とを相対回動自在に設けると共に係合付勢バネ５の係合付勢に抗して離反方向に移動自在となるように構成して、前記カム部３と前記カム係合部４とが前記係合付勢バネ５により付勢係合することで、前記第一部材１に対して前記第二部材２の回動位置が保持されるように構成したものである。
【００３９】
具体的には、取付ケース体８内に回り止め状態にカム部３を設け、このカム部３は、取付ケース体８内に設けた係合付勢バネ５に抗して取付ケース体８内でスライド移動自在に設け、このカム部３に対向して前記係合付勢バネ５によりカム部３と付勢係合するカム係合部４を設け、このカム係合部４を取付ケース体８の一側に配設されている。本実施例では、取付ケース体８内へ配される回動支軸９によりカム係合部４とカム部３とが相対回動自在に設けられ、またカム係合部４に取付部を設けてはいなく、取付ケース体８の内方側にカム部３と係合する凹部４Ａを内面対向位置に設けたカム係合部４が取付ケース体８の一側に配設されるように構成し、このカム係合部４が前記取付凹部６に回り止め状態に挿入係合するように構成している。
【００４０】
従って、第一部材１に対して第二部材２を回動させると、係合付勢バネ５に抗してカム部３が離反しつつカム部３とカム係合部４とが係脱して回動支軸９を軸に相対回動し、このカム部３とカム係合部４とが付勢係合した状態（カム部３がカム係合部４に対して係合途中状態若しくは係合完了状態）では第一部材１に対する第二部材２の回動位置が保持されるように構成している。
【００４１】
即ち、本実施例では、第一部材１（本体部）に対して第二部材２（重合部）を閉塞状態から開放状態へと回動させると、第二部材２の回動に伴って回り止め状態に取付凹部６に係合しているカム係合部４が回動して取付ケース体８に内装されているカム部３に対して相対回動する。このカム部３は取付ケース体８を介して第一部材１の取付凹部７に回り止め状態に固定されている。
【００４２】
そして、カム部３に対してカム係合部４が回動する際には、カム部３は取付ケース体８内において係合付勢バネ５に抗してカム係合部４から離反移動しつつカム係合が係脱してすり合わせ状態で回動する。このカム係合の形状や係合付勢バネ５の押圧力の設定によっては、係脱回動位置で手を放せばその位置（カム係合部４の凹部４Ａから係脱して回動移動する際の凸摺動面部４Ｂに対して凸部３が摺動する位置）で第二部材２（重合部）が停止するフリーストップ機能が実現できるように構成している。尚、係脱した後再びすり合わせ面の傾斜によってカム係合しようとする回動付勢力が生じるように構成しても良い。
【００４３】
即ち、本実施例ではカム部３とカム係合部４との間にフリーストップ機能が発揮される構成としたが、第一部材１と第二部材２を少し回動した回動範囲ではカム係合部が係脱しきらずに戻り閉じ付勢力が生じるように構成し、この回動範囲を超えて回動すると、カム係合が係脱するが、すり合わせ面の傾斜によって再びカム係合しようと開き付勢力が生じ、自動的に開き回動し、再びカム係合することで開放位置がこのカム係合によって保持されるように構成することもできる。
【００４４】
また、第一部材１と第二部材２とが重合閉塞した状態では、完全にカム部３とカム係合部４とが完全にはカム係合せず、係合途中位置（凸部３Ａが凹部４Ａの落ち込み摺動面部４Ａ’で止まった状態）となるように設定することで閉塞状態においても閉じ付勢（落ち込み係合付勢力：通称吸い込み力）が生じるように構成している。
【００４５】
また、本実施例は、前述したように第二部材２に設けた取付凹部６にカム係合部４を挿入して回り止め状態で取り付ける構成であり、この取付凹部６にカム係合部４を挿入した際、取付凹部６の内面部に設けた回り止め凸部６ａが係合する回り止め凹部４ａをカム係合部４の側周面に設け、このカム係合部４の側周面のうち、カム部３の凸部３Ａがカム係合部４の凹部４Ａから係脱して回動移動する際の凹部４Ａ外の凸摺動面部４Ｂが設けられる部位の脇の側周面でなく、凹部４Ａが設けられる部位の脇の側周面に回り止め凹部４ａを設けている。
【００４６】
また、具体的には、本実施例ではカム係合部４におけるカム部３との対向面の複数箇所（２箇所）に凹部４Ａを形成しており、この夫々の凹部４Ａ間における凸摺動面部４Ｂ夫々が設けられる部位の脇の側周面でなく、凹部４Ａ夫々が設けられる部位の脇の側周面に回り止め凹部４ａを設けている。
【００４７】
更に具体的には、カム係合部４の凹部４Ａは、凸摺動面部４Ｂに連続し凸部３Ａが落ち込み摺動する下り傾斜状の落ち込み摺動面部４Ａ’と、該落ち込み摺動面部４Ａ’に連続する底面部４Ａ”とから成り、この底面部４Ａ”の側周面に回り止め凹部４ａを設けており、この構成から、より本来の機能とは関係の無い部位（カム部３の凸部３Ａが回動抵抗を生じながら摺動する凸摺動面部４Ｂ及び凸部３Ａが回動付勢を生じながら落ち込み摺動する下り傾斜面部４Ａ’が設けられる部位以外の部位の側周面）に設けることでカム係合部４が変形することの影響を可及的に受けないことになる。
【００４８】
尚、落ち込み摺動面部４Ａ’は落ち込み摺動する凸部３Ａが係合途中となって止まる位置までを示すものである。
【００４９】
また、本実施例は、回り止め凸部６ａが突き当たり係合する回り止め凹部４ａにおける傾斜状の係合面４ａ’は、カム係合部４の回動中心点Ｐを通過する面と同一平面状となるように形成されており、この構成から、第一部材１と第二部材２とを相対回動させた際にカム係合部４にかかる応力を回動中心に作用させることができ、この点においてもカム係合部４にかかる応力を良好に受けてカム係合部４の変形を可及的に防止し得ることになる。
【００５０】
また、本実施例は、回り止め凹部４ａは、取付凹部６に対するカム係合部４の挿入方向に長さを有する凹条であり、カム係合部４の正面及び背面に開口状態に設けられている。
【００５１】
従って、この構成から、単なる点での係合でなく線若しくは面での係合となりより一層堅固な回り止め状態が得られることになる。
【００５２】
また、カム係合部４の正面視形状として、図１〜６に図示したように正面視正方形状に限らず、図７，８に図示したように正面視細長形状（小判形状や長方形状や楕円形状など）としても良い。
【００５３】
この正面視細長形状の場合、カム係合部４の回動半径が長い部位（対向端部）夫々に凹部４Ａ及び回り止め凹部４ａを設けており、この部位はその他の部位（回動半径が短い部位）に比して回動応力に対する強度の高い部位であるから、この点においてもカム係合部４の変形を防止し得ることになる。
【００５４】
本実施例は上述のように構成したから、第二部材２に対するカム係合部４の取付けに際し、第二部材２に設けた取付凹部６にカム係合部４を挿入すると、取付凹部６の内面部に設けた回り止め凸部６ａにカム係合部４の側周面に設けた回り止め凹部４ａが回り止め状態で係合する。
【００５５】
従って、カム係合部４を小型化しても（大型化することなく）、第一部材１と第二部材２とを相対回動した際に生じるカム係合部４に対する応力に耐え得る良好な回り止め状態が確実に得られることになる。
【００５６】
また、本実施例は、前述したカム係合部４に設ける回り止め凹部４ａを、カム係合部４の側周面のうち、カム部３の凸部３Ａがカム係合部４の凹部４Ａから係脱して回動移動する際の凹部４Ａ外の凸摺動面部４Ｂが設けられる部位の脇の側周面でなく、凹部４Ａが設けられる部位の脇の側周面に回り止め凹部４ａを設けており、この構成から、前述した十分な回り止め状態での取付けを実現しつつ、この種のヒンジ装置が持つ本来の機能（例えば回動抵抗を利用したフリーストップ機能や回動操作感）に支障を来たすことなく確実に実現し得ることになる。
【００５７】
また、本実施例は、回り止め凸部６ａが突き当たり係合する回り止め凹部４ａにおける係合面４ａ’は、カム係合部４の回動中心点を通過する面と同一平面状となるように形成されているから、第一部材１と第二部材２とを相対回動させた際にカム係合部４にかかる応力を回動中心に作用させることができ、この点においてもカム係合部４にかかる応力を良好に受けてカム係合部４の歪み（変形）を可及的に防止し得ることになり、一方、このカム係合部４にかかる応力を回動中心に作用させることは、カム係合部４を取付ける取付凹部６の一部分への偏った応力の集中を防止することにもなり、該取付凹部６の耐久性をも飛躍的に向上し得ることになる。
【００５８】
尚、本発明は、本実施例に限られるものではなく、各構成要件の具体的構成は適宜設計し得るものである。
【産業上の利用可能性】
【００５９】
本発明は、例えば携帯電話やノート型パソコンなどの折畳式となる筐体同士を枢着するヒンジ装置として有用である。
【符号の説明】
【００６０】
１  第一部材
２  第二部材
３  カム部
３Ａ  凸部
４  カム係合部
４’係合面
４ａ  回り止め凹部
４Ａ  凹部
４Ａ’  落ち込み摺動面部
４Ｂ  凸摺動面部
５  係合付勢バネ
６  取付凹部
６ａ  回り止め凸部
11  操作部
12  ディスプレイ部
【先行技術文献】
【特許文献】
【００６１】
【特許文献１】特開２００３−６５３２１号公報
【図１】
2010159785.tif 000003
【図２】
2010159785.tif 000004
【図３】
2010159785.tif 000005
【図４】
2010159785.tif 000006
【図５】
2010159785.tif 000007
【図６】
2010159785.tif 000008
【図７】
2010159785.tif 000009
【図８】
2010159785.tif 000010